(57)【要約】【課題】  ウエーブの大きさを変えて見栄えよく仕上げることができ、パーマ液を速やかに洗い落とすことができるパッドを提供する。【解決手段】  コールドパーマ用のパッド１は、ロッド２上で頭髪３を挟着する支持層４と挟着層５を備え、支持層４と挟着層５の間に中間層６が介在する。支持層４および挟着層５は、編み糸で編成された平面網目構造９を備える。平面網目構造９は、頭髪３の巻き回し方向に短く、巻き回し方向と直角の方向に長い網目により構成される。中間層６は、非浸水性の弾性細線で編成された立体網目構造１３を備える。立体網目構造１３は、頭髪３の巻き回し方向に延びる補強用の弾性細線と、中間層６の厚み方向に延びる間隔保持用の弾性細線とからなり、弾性細線が立体網目構造１３中にパーマ液を一時的に保持する細隙を形成する。【選択図】        図１
2015000279.tif 000002
【特許請求の範囲】
【請求項１】
頭髪を巻き回してパーマ液に浸すためのパーマ用パッドであって、
巻き回された頭髪を支持する支持層と、支持層との間に頭髪を挟着する挟着層と、挟着層と支持層の間に介在する中間層とを備え、
前記支持層と挟着層の少なくとも一方が平面的な網目構造を備え、前記中間層が弾性細線で編成された立体的な網目構造を備えたことを特徴とするパーマ用パッド。
【請求項２】
前記弾性細線が、非浸水性の合成樹脂フィラメントからなる請求項１記載のパーマ用パッド。
【請求項３】
前記立体的な網目構造が、頭髪の巻き回し方向に延びる補強用弾性細線と、中間層の厚み方向に延びる間隔保持用弾性細線とを含む請求項２記載のパーマ用パッド。
【請求項４】
前記補強用弾性細線と間隔保持用弾性細線とが、立体的な網目構造中にパーマ液を一時的に保持する細隙を形成している請求項３記載のパーマ用パッド。
【請求項５】
前記間隔保持用弾性細線が、支持層および挟着層に編み込まれている請求項３記載のパーマ用パッド。
【請求項６】
前記平面的な網目構造が、編み糸で編成された網目の内側に中間層を被覆する細網を含む請求項１〜５の何れか一項に記載のパーマ用パッド。
【発明の詳細な説明】
【技術分野】
【０００１】
本発明は、頭髪にパーマをかけるときに用いられるパーマ用パッドに関する。
【背景技術】
【０００２】
美容院等でコールドパーマをかけるときには、通常、梳き取った一束の頭髪と一緒にペーパをロッドに巻き回し、ペーパに含ませたパーマ液で頭髪を浸す。頭髪およびペーパのワインディング作業を容易にできるように、特許文献２には、合繊長繊維不織布を素材としたコールドペーパの巻き始め部をロッドに掛け止めする技術が提案されている。
【０００３】
また、従来、ペーパに代えて保液性に優れたパッドを使用する技術も知られている。例えば、図６に示すパーマ用パッド５１は発泡または多孔性の柔軟材料で厚く形成され、ロッド５２上に巻き回された状態で、頭髪５３に充分量のパーマ液を供給できるようになっている。なお、特許文献２には、スポンジフォームや不織布で形成したパッドの内部に針金を埋設し、パッドに形状保持機能を持たせる技術が記載されている。
【先行技術文献】
【特許文献】
【０００４】
【特許文献１】特開２００６−１７５１８５号公報
【特許文献２】実開昭６１−１８８５０１号公報
【発明の概要】
【発明が解決しようとする課題】
【０００５】
ところが、従来のパーマ用ペーパは、紙または不織布で薄く形成されているため、巻径の変化が少なく、ウエーブの大きさが一様となり、仕上がりが単調になるという問題点があった。また、厚手柔軟材料からなる従来のパーマ用パッドは、巻き締めに際して頭髪支持部が容易に陥没してしまうばかりでなく、洗浄に際してパーマ液とその臭気が残りやすいという不具合があった。
【０００６】
そこで、本発明の目的は、ウエーブの大きさを変えて見栄えよく仕上げることができるとともに、パーマ液を速やかに洗い落とすこともできるパーマ用パッドを提供することにある。
【課題を解決するための手段】
【０００７】
上記課題を解決するために、本発明は次のようなパーマ用パッドを提供する。
（１）頭髪を巻き回してパーマ液に浸すためのパーマ用パッドであって、巻き回された頭髪を支持する支持層と、支持層との間に頭髪を挟着する挟着層と、挟着層と支持層の間に介在する中間層とを備え、支持層と挟着層の少なくとも一方が平面的な網目構造を備え、中間層が弾性細線で編成された立体的な網目構造を備えたことを特徴とするパーマ用パッド。
【０００８】
（２）立体的な網目構造を編成する弾性細線が非浸水性の合成樹脂フィラメントからなることを特徴とするパーマ用パッド。
【０００９】
（３）立体的な網目構造が、頭髪の巻き回し方向に延びる補強用弾性細線と、中間層の厚み方向に延びる間隔保持用の弾性細線とを含むことを特徴とするパーマ用パッド。
【００１０】
（４）補強用弾性細線と間隔保持用弾性細線とが、立体的な網目構造中にパーマ液を一時的に保持する細隙を形成していることを特徴とするパーマ用パッド。
【００１１】
（５）間隔保持用の弾性細線が支持層および挟着層に編み込まれていることを特徴とするパーマ用パッド。
【００１２】
（６）平面的な網目構造が、編み糸で編成された網目の内側に中間層を被覆する細網を含むことを特徴とするパーマ用パッド。
【発明の効果】
【００１３】
本発明のパーマ用パッドによれば、支持層と挟着層の少なくとも一方を平面網目構造とし、中間層を立体網目構造としたので、巻径を徐々に変化させ、異なる大きさのウエーブを見栄えよく形成できるとともに、液切れをよくし、パーマ液を速やかに洗い落とすことができるという効果がある。
【図面の簡単な説明】
【００１４】
【図１】本発明の一実施形態を示すパーマ用パッドの斜視図である。
【図２】パーマ用パッドの平面および立体網目構造を示す拡大図である。
【図３】パーマ用パッドの作用を示す側面図である。
【図４】頭髪の仕上がり形状を例示する正面図である。
【図５】パーマ用パッドの別の平面網目構造を示す拡大図である。
【図６】従来のパーマ用パッドを示す立面図である。
【発明を実施するための形態】
【００１５】
以下、本発明の実施形態を図面に基づいて説明する。図１に示すパーマ用パッド１は、ロッド２よりも短い幅の長方形に形成され、頭髪３と一緒にロッド２の外周に巻き回される。パッド１の片面には支持層４が設けられ、パッド１の反対面に挟着層５が設けられ、支持層４と挟着層５との間に中間層６が介装されている。そして、図３に示すように、ロッド２に巻き回された頭髪３が支持層４により支持された状態で、挟着層５によって挟着されるようになっている。
【００１６】
この実施形態では、支持層４および挟着層５が、それぞれ同様に構成され、図２（ａ）に示すように、合成繊維製の編み糸８で編成された平面的な網目構造９を備えている。この平面網目構造９は、支持層４および挟着層５が頭髪３の巻き回し方向（矢印方向）に容易に伸長するように、巻き回し方向に短く、巻き回し方向と直角の方向に長い（図において、ｘ＜ｙ）多数の横長六角形の網目１０から構成されている。
【００１７】
図２（ｂ）に示すように、中間層６は、非浸水性の弾性細線１２で編成された立体的な網目構造１３を備えている。この立体網目構造１３は、頭髪３の巻き回し方向に延びる補強用の弾性細線１２ａと、中間層６の厚さ方向に延びる間隔保持用の弾性細線１２ｂとを含んでいる。各弾性細線１２ａ，１２ｂには平面網目構造９の編み糸８よりも細い合成樹脂フィラメントが用いられ、間隔保持用の合成樹脂フィラメント１２ｂの両端が支持層４および挟着層５の編み糸８に編み込まれている。また、各弾性細線１２ａ，１２ｂは、立体網目構造１３中にパーマ液Ｌを一時的に保持する細隙１１を形成している。
【００１８】
上記のように構成されたパーマ用パッド１は、図３に示すワインディング工程において、頭髪３と一緒にロッド２上に巻き締められる。このとき、パッド１は、巻き締め力で厚さが徐々に変化し、内側ほど薄く外側ほど厚くなるように弾性的に変形し、これに伴って、頭髪３の巻径が内側ほど小さく外側ほど大きくなるように変化する。したがって、さほどの熟練を要することなく、図４に例示する頭髪３のように、異なる大きさのウエーブを見栄えよく連続的に形成することができる。
【００１９】
この実施形態のパーマ用パッド１によれば、支持層４および挟着層５の平面網目構造９が横長六角形の網目１０で構成されているため、ワインディングに際してパッド１の全体を巻き回し方向へ無理なく伸ばし、パッド１の厚みを滑らかに変化させることができる。また、中間層６の立体網目構造１３は、補強用の弾性細線１２ａによりパッド１に充分な強度と伸縮性を与え、間隔保持用の弾性細線１２ｂを支持層４と挟着層５に編み込むことによってパッド１の復元性と耐久性を高めることができる。
【００２０】
ワインディング後には、パッド１にパーマ液が供給され、必要量が表面張力によって立体網目構造１３中の細隙１１に一時的に保持され、中間層６から頭髪３に移される。一方、中間層６の弾性細線１２は、非浸水性の合成樹脂フィラメントで形成されているので、従来の発泡材や不織布からなるパッドとは異なり、高度の液切れ作用を発揮する。このため、適量のパーマ液をパッド１から頭髪３に供給でき、洗浄に際しては、パッド１からパーマ液を速やかに洗い落とし、それ特有の臭気を解消することができる。
【００２１】
なお、本発明は上記実施形態に限定されるものではなく、例えば、図５（ａ）に示すように、支持層４および挟着層５の平面網目構造１５を縦横に伸びやすい四角形の網目１６で構成することもできる。また、図５（ｂ）に示す平面網目構造１７のように、編み糸８で編成された網目１８の内側に、それより細かい網目の細網１９を張設し、細網１９で中間層１３を被覆して、中間層１３の弾性細線１２が散逸しないように構成することもできる。その他、本発明の趣旨を逸脱しない範囲で、各部の形状や材質を適宜に変更して実施することも可能である。
【符号の説明】
【００２２】
１    パーマ用パッド
２    ロッド
３    頭髪
４    支持層
５    挟着層
６    中間層
８    編み糸
９    平面網目構造
１０    網目
１１    細隙
１２    弾性細線
１３    立体網目構造
１９    細網
【図１】
2015000279.tif 000003
【図２】
2015000279.tif 000004
【図３】
2015000279.tif 000005
【図４】
2015000279.tif 000006
【図５】
2015000279.tif 000007
【図６】
2015000279.tif 000008